(57)【要約】【課題】簡単な構成で製品の傷つきを確実に防止できる食器乾燥機の梱包装置を提供することを課題とする。【解決手段】加熱源を有する乾燥機本体１を、該乾燥機本体１との間に乾燥室を形成する複数の蓋体２を開放するとともに食器籠３を載置した状態で、上下各一対の緩衝体７、５を介して梱包箱４に収納する食器乾燥機本体の梱包装置において、下緩衝体５内側に、食器籠３の格子間に挿入される支持部６を形成し、食器籠３を乾燥機本体１天面から浮かせた状態に保持する。【選択図】　　　　　図１
2004035021.tif 000002
【特許請求の範囲】
【請求項１】
加熱源を有する乾燥機本体と、該乾燥機本体に回動自在に配設されて乾燥機本体との間に乾燥室を形成する複数の蓋体片からなる蓋体と、前記乾燥室内に着脱自在に収納され、前記乾燥機本体天面に載置される食器籠とから食器乾燥機を構成し、前記蓋体を開放するとともに乾燥室内に食器籠を収納した状態で、これらを緩衝体を介して梱包箱内に収納するようにしたものにおいて、前記緩衝体に、前記食器籠を乾燥機本体天面との間に隙間を存して保持する保持手段を設けたことを特徴とする食器乾燥機の梱包装置。
【請求項２】
加熱源を有する乾燥機本体と、該乾燥機本体に回動自在に配設されて乾燥機本体との間に乾燥室を形成する複数の蓋体片からなる蓋体と、前記乾燥室内に着脱自在に収納され、前記乾燥機本体天面に載置される食器籠とから食器乾燥機を構成し、前記蓋体を開放するとともに乾燥室内に食器籠を収納した状態で、これらを緩衝体を介して梱包箱内に収納するようにしたものにおいて、前記緩衝体は、少なくとも前記乾燥機本体の左右側面を上下にわたって保護する一対の緩衝体から構成し、該緩衝体の内側に、前記食器籠を乾燥機本体天面との間に隙間を存して保持する保持部を形成したことを特徴とする食器乾燥機の梱包装置。
【請求項３】
加熱源を有する乾燥機本体と、該乾燥機本体に回動自在に配設されて乾燥機本体との間に乾燥室を形成する複数の蓋体片からなる蓋体と、前記乾燥室内に着脱自在に収納され、前記乾燥機本体天面に載置される食器籠とから食器乾燥機を構成し、前記蓋体を開放するとともに乾燥室内に食器籠を収納した状態で、これらを緩衝体を介して梱包箱内に収納するようにしたものにおいて、前記緩衝体を、前記乾燥機本体の両側下部を保護する一対の下緩衝体と、乾燥機本体上部を保護する上緩衝体とから構成し、前記下緩衝体の内側に、前記食器籠を乾燥機本体天面との間に隙間を存して保持する保持部を形成したことを特徴とする食器乾燥機の梱包装置。
【請求項４】
加熱源を有する乾燥機本体と、該乾燥機本体に回動自在に配設されて乾燥機本体との間に乾燥室を形成する複数の蓋体片からなる蓋体と、前記乾燥室内に着脱自在に収納され、前記乾燥機本体天面に載置される食器籠とから食器乾燥機を構成し、前記蓋体を開放するとともに乾燥室内に食器籠を収納した状態で、これらを緩衝体を介して梱包箱内に収納するようにしたものにおいて、前記緩衝体を、前記乾燥機本体の下部を保護する下緩衝体と、前記乾燥機本体両側上部を保護する一対の上緩衝体とから構成し、前記上緩衝体の内側に、前記食器籠を乾燥機本体天面との間に隙間を存して保持する保持部を形成したことを特徴とする食器乾燥機の梱包装置。
【発明の詳細な説明】
【０００１】
【発明の属する技術分野】
本発明は、食器類を乾燥する食器乾燥機の梱包装置に関する。
【０００２】
【従来の技術】
従来、食器乾燥機として、乾燥機本体と該乾燥機本体に開閉自在に軸支された蓋体との間に乾燥室を形成し、この乾燥室に食器籠を収納し、食器籠に洗った食器類を収納して乾燥させるものが知られている。
【０００３】
このような構成の食器乾燥機の梱包装置として、例えば実公平３−５２７０２号公報（Ｂ６５Ｄ　８１／０６）等に開示されるごとく、食器乾燥機の蓋体を開放し食器籠を乾燥機本体天面に載置した状態で、上下各一対の緩衝体を介して梱包箱へ収納したものが知られている。
【０００４】
この梱包装置は、下緩衝体に、食器籠の移動を阻止する位置決め部を形成し、輸送中における食器籠の移動を阻止するようになっている。
【０００５】
しかしながら、在庫状態が長く続くと、緩衝体が収縮して位置決め部と食器籠との間に隙間が生じ、輸送中に食器籠が移動して食器籠により乾燥機本体天面を傷つけるおそれがある。
【０００６】
この問題を解決するため、食器籠と乾燥機本体天面との間に、保護シート等の別部材の緩衝材を介在させることが考えられるが、この構成では、部品点数が増えるためコストが高くなる欠点があるとともに、梱包作業性が低下する問題がある。
【０００７】
【発明が解決しようとする課題】
本発明は、上記欠点に鑑みなされたもので、簡単な構成で製品の傷つきを確実に防止できる食器乾燥機の梱包装置を提供することを課題とする。
【０００８】
【課題を解決するための手段】
本発明は、加熱源を有する乾燥機本体と、該乾燥機本体に回動自在に配設されて乾燥機本体との間に乾燥室を形成する複数の蓋体片からなる蓋体と、前記乾燥室内に着脱自在に収納され、前記乾燥機本体天面に載置される食器籠とから食器乾燥機を構成し、前記蓋体を開放するとともに乾燥室内に食器籠を収納した状態で、これらを緩衝体を介して梱包箱内に収納するようにしたものにおいて、前記緩衝体に、前記食器籠を乾燥機本体天面との間に隙間を存して保持する保持手段を設けたことを特徴とする。
【０００９】
また、本発明は、加熱源を有する乾燥機本体と、該乾燥機本体に回動自在に配設されて乾燥機本体との間に乾燥室を形成する複数の蓋体片からなる蓋体と、前記乾燥室内に着脱自在に収納され、前記乾燥機本体天面に載置される食器籠とから食器乾燥機を構成し、前記蓋体を開放するとともに乾燥室内に食器籠を収納した状態で、これらを緩衝体を介して梱包箱内に収納するようにしたものにおいて、前記緩衝体は、少なくとも前記乾燥機本体の左右側面を上下にわたって保護する一対の緩衝体から構成し、該緩衝体の内側に、前記食器籠を乾燥機本体天面との間に隙間を存して保持する保持部を形成したことを特徴とする。
【００１０】
さらに、本発明は、加熱源を有する乾燥機本体と、該乾燥機本体に回動自在に配設されて乾燥機本体との間に乾燥室を形成する複数の蓋体片からなる蓋体と、前記乾燥室内に着脱自在に収納され、前記乾燥機本体天面に載置される食器籠とから食器乾燥機を構成し、前記蓋体を開放するとともに乾燥室内に食器籠を収納した状態で、これらを緩衝体を介して梱包箱内に収納するようにしたものにおいて、前記緩衝体を、前記乾燥機本体の両側下部を保護する一対の下緩衝体と、乾燥機本体上部を保護する上緩衝体とから構成し、前記下緩衝体の内側に、前記食器籠を乾燥機本体天面との間に隙間を存して保持する保持部を形成したことを特徴とする。
【００１１】
また、本発明は、加熱源を有する乾燥機本体と、該乾燥機本体に回動自在に配設されて乾燥機本体との間に乾燥室を形成する複数の蓋体片からなる蓋体と、前記乾燥室内に着脱自在に収納され、前記乾燥機本体天面に載置される食器籠とから食器乾燥機を構成し、前記蓋体を開放するとともに乾燥室内に食器籠を収納した状態で、これらを緩衝体を介して梱包箱内に収納するようにしたものにおいて、前記緩衝体を、前記乾燥機本体の下部を保護する下緩衝体と、前記乾燥機本体両側上部を保護する一対の上緩衝体とから構成し、前記上緩衝体の内側に、前記食器籠を乾燥機本体天面との間に隙間を存して保持する保持部を形成したことを特徴とする。
【００１２】
【発明の実施の形態】
本発明の実施の形態を図面に基づいて以下に説明する。
【００１３】
１は内部に過熱源となる図示しないヒーターユニットを内蔵する乾燥機本体で、該乾燥機本体１天面を平坦な皿形状としている。
【００１４】
２は前記乾燥機本体１側部に開閉自在に軸支された蓋体で、側面形状が略扇状で、断面形状がコ字状に形成された複数（本実施の形態では２つ）の蓋体片２ａ、２ｂから構成されており、該蓋体２と前記乾燥機本体１天面との間に乾燥室を形成するようになっている。
【００１５】
３は前記乾燥機本体１天面に載置される食器籠で、合成樹脂等により格子状に成形（もしくはステンレス製の鋼線を折り曲げ形成し、格子状に溶接して構成）されており、該食器籠３に洗った食器類を収納して前記乾燥室内で乾燥させるようになっている。
【００１６】
４は梱包箱で、該梱包箱４内に、前記乾燥機本体１に食器籠３を載置し蓋体２を開放した状態で後述する下緩衝体５、５を介して収納するとともに、前記乾燥機本体１上部に後述する上緩衝体７、７を載置し、蓋体２及び食器籠３を固定し収納するようになっている。
【００１７】
５、５は前記乾燥機本体１の下部両側部を保護する一対の下緩衝体で、該下緩衝体５、５には各々、前記蓋体２の開放により形成される開口を介して前記食器籠３の格子に挿入される支持部６を形成している。
【００１８】
前記支持部６は、前記下緩衝体５、５を前記乾燥機本体１の両側部に装着して該支持部６が食器籠３の格子に挿入された状態で、前記食器籠３と乾燥機本体１の天面との間に隙間を形成する高さに形成されており、梱包装置の輸送時に、食器籠３により乾燥機本体１天面を傷つけるのを防止するようになっている。
【００１９】
７、７は前記食器乾燥機の上部両側部を保護する一対の上緩衝体で、該上緩衝体７、７は、前記蓋体２を開放状態に保持するとともに、蓋体２の開放により形成される開口を介して前記食器籠３上面に当接して食器籠３の浮き上がりを防止するようになっている。
【００２０】
本発明によると、梱包する際は、蓋体２を開放した状態で食器籠３を載置した乾燥機本体１の両側部に下緩衝体５、５を装着するとともに、下緩衝体５、５の支持部６を食器籠３の格子間に挿入して梱包箱４に収納する。この状態で、食器籠３と乾燥機本体１天面との間に隙間が形成される。
【００２１】
そして、乾燥機本体１上に上緩衝体７、７を載置すると、上緩衝体７、７により蓋体２が開放状態に保持されるとともに、食器籠３の浮き上がりを防止するようになっている。
【００２２】
さらに、梱包箱４の上面開口を閉成して梱包が完了する。
【００２３】
この構成によると、下緩衝体５、５の支持部６を食器籠３の格子間に挿入して梱包箱４に収納することにより、食器籠３と乾燥機本体１天面との間に隙間が形成されているため、部品点数を増やすことなく、梱包装置の輸送中に食器籠３が移動して乾燥機本体１天面にキズをつけるのを防止できるとともに、在庫状態が長くなって下緩衝体５、５が収縮しても、食器籠３と乾燥機本体１天面とが接触することがなく、傷つきを確実に防止できる。
【００２４】
また、乾燥機本体１の両側下部を保護する一対の下緩衝体５、５の内側に支持部６を形成することにより、乾燥機本体１の左右に下緩衝体５、５を装着しながら支持部６を食器籠３の格子間に挿入でき、梱包作業性を向上できる。
【００２５】
尚、上記実施の形態では、食器籠３を乾燥機本体１天面から浮かせた状態に保持する支持部６を、下緩衝体５に形成したが、図５に示す第２の実施の形態のごとく、上緩衝体７に形成してもよい。
【００２６】
即ち、前記上緩衝体７の内側に、略水平方向に延設される支持部８を形成し、該支持部８を前記食器籠３の格子間に係合させて、食器籠３を乾燥機本体１天面との間に隙間を持たせた位置に保持するよう構成しても良い。
【００２７】
上記各実施の形態では、上下緩衝体７、５を各々左右一対（合計４個の緩衝体）から構成したが、乾燥機本体１の両側を上下にわたって保護する一対の緩衝体（合計２個の緩衝体）にて構成してもよく、この場合、乾燥機本体１の左右から緩衝体を装着しながら支持部を食器籠の格子間に挿入した後に、乾燥機本体を緩衝体とともに梱包箱に収納でき、緩衝体数の減少に伴い作業工程数も少なくなり、より作業性を向上できる。
【００２８】
【発明の効果】
本発明の請求項１によると、緩衝体に形成した保持部により食器籠を乾燥機天面から浮かせた状態に保持できるため、部品点数を増やすことなく、梱包装置の輸送中に食器籠が移動して乾燥機本体天面にキズをつけるのを防止できるとともに、在庫状態が長くなって緩衝体が収縮するなどの不都合が生じても、食器籠と乾燥機本体天面とが接触することがなく、傷つきを確実に防止できる。
【００２９】
本発明の請求項２によると、緩衝体に形成した保持部により食器籠を乾燥機天面から浮かせた状態に保持できるため、部品点数を増やすことなく、梱包装置の輸送中に食器籠が移動して乾燥機本体天面にキズをつけるのを防止できるとともに、在庫状態が長くなって緩衝体が収縮するなどの不都合が生じても、食器籠と乾燥機本体天面とが接触することがなく、傷つきを確実に防止できる。
【００３０】
また、乾燥機本体の左右側面を上下にわたって保護する一対の緩衝体にて構成したため、乾燥機本体の両側に緩衝体を装着しながら支持部を食器籠の格子間に挿入した後に、乾燥機本体を緩衝体とともに梱包箱に収納すればよく、作業工程数を少なくしてより作業性を向上できる。
【００３１】
本発明の請求項３によると、左右一対の下緩衝体に形成した保持部により食器籠を乾燥機天面から浮かせた状態に保持できるため、部品点数を増やすことなく、梱包装置の輸送中に食器籠が移動して乾燥機本体天面にキズをつけるのを防止できるとともに、在庫状態が長くなって緩衝体が収縮するなどの不都合が生じても、食器籠と乾燥機本体天面とが接触することがなく、傷つきを確実に防止できる。
【００３２】
本発明の請求項４によると、左右一対の上緩衝体に形成した保持部により食器籠を乾燥機天面から浮かせた状態に保持できるため、部品点数を増やすことなく、梱包装置の輸送中に食器籠が移動して乾燥機本体天面にキズをつけるのを防止できるとともに、在庫状態が長くなって緩衝体が収縮するなどの不都合が生じても、食器籠と乾燥機本体天面とが接触することがなく、傷つきを確実に防止できる。
【図面の簡単な説明】
【図１】本発明の第１の実施の形態を示す食器乾燥機の梱包装置の分解斜視図である。
【図２】同断面図である。
【図３】同他の方向から見た断面図である。
【図４】同下緩衝体の斜視図である。
【図５】本発明の第２の実施の形態を示す上緩衝体の斜視図である。
【符号の説明】
１　　　　　乾燥機本体
２　　　　　蓋体
３　　　　　食器籠
４　　　　　梱包箱
５　　　　　下緩衝体
６　　　　　支持部（保持部）
７　　　　　上緩衝体
８　　　　　支持部（保持部）
【図１】
2004035021.tif 000003
【図２】
2004035021.tif 000004
【図３】
2004035021.tif 000005
【図４】
2004035021.tif 000006
【図５】
2004035021.tif 000007